(57)【特許請求の範囲】
【請求項１】
ハウジング（１１）、回路基板配置部（１２）、および該回路基板配置部（１２）上に実装された電気的または電子的なアセンブリ（１３、１４）を備える電子変速機制御装置（１０）であって、前記回路基板配置部（１２）は、部分的に前記ハウジング（１１）の内側のオイルに対して密閉された領域で、および部分的に前記ハウジング（１１）の外側のオイルに対して密閉されていない領域で、延在し、および前記回路基板配置部（１２）は、複数の導電性の伝導経路層（１７ａ、１７ｂ、１７ｃ、１７ｄ）を備え、該伝導経路層（１７ａ、１７ｂ、１７ｃ、１７ｄ）は誘電層（１８ａ、１８ｂ、１８ｃ）により、互いに電気的に絶縁されている電子変速機制御装置（１０）において、少なくとも、前記回路基板配置部（１２）において前記ハウジング（１１）の外側のオイルに対して密閉されていない領域に延在するセクション（１６）で、外側の導電性の伝導経路層（１７ａ、１７ｄ）に対して、耐油性の電気的絶縁材料製の最終遮断最外層（２０、２１）が、前記電気的または電子的なアセンブリ（１３、１４）を前記回路基板配置部（１２）と電気的に接触させるインターフェイス（１９）を除いて、施されており、
前記最終遮断最外層（２０、２１）は各々、プラスチック製の射出成型層として構成されていることを特徴とする電子変速機制御装置（１０）。
【請求項２】
請求項１の記載の電子変速機制御装置であって、前記回路基板配置部（１２）は４つの伝導経路層（１７ａ、１７ｂ、１７ｃ、１７ｄ）を備え、該伝導経路層（１７ａ、１７ｂ、１７ｃ、１７ｄ）は、３つの誘電層（１８ａ、１８ｂ、１８ｃ）により、互いに電気的に絶縁され、および少なくとも、前記回路基板配置部（１２）において前記ハウジング（１１）の外側に延在するセクション（１６）で、前記外側の導電性の伝導経路層（１７ａ、１７ｄ）に対して、耐油性の電気的絶縁材料製の最終遮断最外層（２０、２１）が、前記インターフェイス（１９）を除いて、施されていることを特徴とする電子変速機制御装置。
【請求項３】
請求項１または２に記載の電子変速機制御装置であって、前記最終遮断最外層（２０、２１）は各々、ポリイミド箔製の積層層として構成されていることを特徴とする電子変速機制御装置。
【請求項４】
請求項１または２に記載の電子変速機制御装置であって、前記最終遮断最外層（２０、２１）は各々、プリプレグ製の積層層として構成されていることを特徴とする電子変速機制御装置。
【請求項５】
請求項３または４に記載の電子変速機制御装置であって、ハウジング（１１）が、複数層のアルミニウムダイキャストハウジングとして構成されており、該アルミニウムダイキャストハウジングのシェルが圧縮されていることを特徴とする電子変速機制御装置。
【請求項６】
請求項１に記載の電子変速機制御装置であって、ハウジング（１１）が、プラスチック射出成型ハウジングとして構成されていることを特徴とする電子変速機制御装置。
【請求項７】
請求項１〜６の何れか一項に記載の電子変速機制御装置の製造方法であって：
ａ）両側に、導電性の伝導経路層（１７ｂ、１７ｃ）を積層した、誘電性の電気的絶縁材料製のコア層（１８ａ）を準備するステップと；
ｂ）前記コア層（１８ａ）上に施した、導電性の前記伝導経路層（１７ｂ、１７ｃ）をエッチングするステップと；
ｃ）エッチングした前記伝導経路層（１７ｂ、１７ｃ）に対して、誘電性の電気的絶縁材料製の更なる層（１８ｂ、１８ｃ）を各々、少なくとも１度施し、誘電性の電気的絶縁材料製の該更なる層（１８ｂ、１８ｃ）の各々に対して、導電性の更なる伝導経路層（１７ａ、１７ｄ）を施し、および導電性の該更なる伝導経路層（１７ａ、１７ｄ）をエッチングするステップと；
ｄ）外側の、エッチングした、導電性の前記更なる伝導経路層（１７ａ、１７ｄ）の各々に対して、耐油性の電気的絶縁材料製の、最終遮断最外層（２０、２１）を、少なくとも、回路基板配置部（１２）においてハウジング（１１）の外側に延在するセクション（１６）において施すステップと、
を含む方法。
【請求項８】
請求項７に記載の方法であって、前記ステップｃ）において、前記コア層（１８ａ）の、エッチングした前記伝導経路層（１７ｂ、１７ｃ）に対して、誘電性の材料製の唯一の更なる層（１８ｂ、１８ｃ）の各々のみを施し、および誘電性の電気的絶縁材料製の前記更なる層の各々に対して、唯一の導電性の更なる伝導経路層（１７ａ、１７ｄ）を施すことを特徴とする方法。
【請求項９】
請求項７または８に記載の方法であって、ハウジング（１１）をアルミニウムダイキャストハウジングとして構成し、最終遮断最外層（２０、２１）を、ポリイミド箔製またはプリプレグ製の積層層として構成することを特徴とする方法。
【請求項１０】
請求項７または８に記載の方法であって、ハウジング（１１）をプラスチック射出成型ハウジングとして構成し、最終遮断最外層（２０、２１）を、前記プラスチック射出成型ハウジングを備えるプラスチック製の射出成型層として構成することを特徴とする方法。
【発明の詳細な説明】
【技術分野】
【０００１】
本発明は、請求項１の上位概念に記載の電子変速機制御装置に関する。本発明は更に、電子変速機制御装置の製造方法に関する。
【背景技術】
【０００２】
実地から既知の電子変速機制御装置は、ハウジング、回路基板配置部、および回路基板配置部上に実装された、電気的または電子的なアセンブリを備える。電子変速機制御装置の回路基板配置部は、部分的にハウジングの内側のオイルに対して密封された領域、および部分的にハウジングの外側のオイルに対して密封されていない領域、に位置している。回路基板配置部は、複数の導電性の伝導経路層を備える。伝導経路層は、誘電層により電気的に絶縁されている。実地から既知の電子変速機制御装置の回路基板配置部において、外側の導電性の伝導経路層に対して、更なる誘電層が積層される。更なる誘電層に対して、導電性のコンタクト層が施される。その後導電性のコンタクト層は、エッチングにより広範囲で除去され、および、電気的または電子的なアセンブリを回路基板配置部の伝導経路層と接触させる電気的インターフェイスの領域のみに残される。電気的インターフェイスの領域において、外側の誘電層に対して施されたコンタクト層で、エッチングにより除去されなかった領域は、ニッケルおよび金を含む被覆を備え、コンタクト層をオイルに起因する腐食から保護する。このために、実施から既知の電子変速機制御装置の回路基板配置部の構造は、比較的複雑となる。
【発明の概要】
【発明が解決しようとする課題】
【０００３】
上述した背景技術に鑑み、本発明が解決しようとする課題は、新しい種類の電子変速機制御装置およびその製造方法を提供することである。
【課題を解決するための手段】
【０００４】
この課題は、請求項１に記載の電子変速機制御装置により解決される。
【０００５】
本発明に従い、少なくとも、回路基板配置部においてハウジングの外側のオイルに対して密封されていない領域に延在するセクションで、外側の導電性の伝導経路層に対して、耐油性の電気的絶縁材料製の最終遮断最外層が、電気的または電子的なアセンブリを回路基板配置部と接触させる電気的インターフェイスを除いて、施されている。
【０００６】
本発明による電子変速機制御装置の回路基板配置部は、単純かつコンパクトな構造を備える。つまり、電気的絶縁材料製の最終遮断層が、外側の導電性の伝導経路層に対して施される。しかしながら、この最終層に対しては、導電性のコンタクト層は施されない。このため、導電性の層の数が従来技術と比較して２つ低減される。これにより、省略された導電性のコンタクト層に対しても、従来技術に従って必要とされていた積層工程およびエッチング工程が不要となる。このため、より単純かつ費用対効果に優れて、電子変速機制御装置を製造可能である。
【０００７】
好適には、回路基板配置部は４つの導電性の伝導経路層を備える。伝導経路層は３つの誘電層により、互いに電気的に絶縁されている。少なくとも、回路基板配置部においてハウジングの外側に延在するセクションにおいて、インターフェイスを除いて、耐油性の電気的絶縁材料製の最終遮断最外層が施される。そうした電子変速機制御装置は、特に単純かつコンパクトな構造を有する回路基板配置部を備える。
【０００８】
本発明の有利な第１発展実施形態に従い、耐油性の電気的絶縁材料製の最終遮断最外層は各々、ポリイミド箔製またはプリプレグ製の積層層として構成されている。本発明のこの発展実施形態は、電子変速機制御装置のハウジングが、複数層のアルミニウムダイキャストハウジングとして製造されている場合に、特に適している。
【０００９】
本発明の、代替的で有利な第２発展実施形態に従い、耐油性の電気的絶縁材料製の最終遮断最外層は各々、プラスチック製の射出成型層として構成されている。本発明のこの発展実施形態は、電子変速機制御装置のハウジングが、プラスチック射出成型ハウジングとして構成されている場合に、特に適している。
【００１０】
本発明による電子変速機制御装置の製造方法は、請求項８に定義される。
【００１１】
好適な発展形態は、従属請求項及び以下の記述から明らかとなる。本発明の実施形態は、上述に限定されることなく、以下に図面を参照し本発明の実施形態を詳述する。
【図面の簡単な説明】
【００１２】
【図１】本発明による電子変速機制御装置の概略的な断面図である。
【発明を実施するための形態】
【００１３】
本発明は、例えば自動車の自動変速機に使用されるような、電子変速機制御装置に関する。
【００１４】
図１は、本発明による電子変速機制御装置１０を、極めて概略化した図である。電子変速機制御装置１０は、ハウジング１１、回路基板配置部１２、ならびに回路基板配置部１２上に実装され、回路基板配置部１２と電気的に接触する、電気的または電子的なアセンブリ１３，１４を備える。回路基板配置部１２はセクション１５を備える。セクション１５は、ハウジング１１の内側の変速機オイルに対して密封された領域に位置している。回路基板配置部１２の更なるセクション１６は、ハウジング１１の外側の変速機オイルに対して密封されていない領域に配置されている。
【００１５】
回路基板配置部１２は、複数の導電性の伝導経路層１７ａ、１７ｂ、１７ｃおよび１７ｄを備える。これらの導電性の伝導経路層１７ａ、１７ｂ、１７ｃおよび１７ｄは、誘電層１８ａ、１８ｂおよび１８ｃにより、互いに電気的に絶縁されている。図示の実施形態においては、４つの伝導経路層１７ａ、１７ｂ、１７ｃおよび１７ｄ、ならびに３つのこの種の誘電層１８ａ、１８ｂおよび１８ｃが存在する。
【００１６】
少なくとも、回路基板配置部１２においてハウジング１１の外側の変速機オイルに対して密封されていない領域に延在するセクション１６で、外側の導電性の伝導経路層１７ａおよび１７ｄに対して、耐油性の電気的絶縁誘電材料製の最終遮断最外層２０、２１が、電気的または電子的なアセンブリ１４を伝導経路層１７ａおよび１７ｄと接触させる電気的インターフェイス１９を除いて、施されている。
【００１７】
従って、これら遮断する最終層２０、２１に対しては、更なる導電性の層、つまり引き続いてエッチングにより広範囲で除去されるコンタクト層は施されない。むしろ外側の伝導経路層１７ａ、１７ｄに対して施された、耐油性の電気的絶縁材料料製の層２０、２１は、回路基板配置部１２においてハウジング１１から突出するセクション１６において、回路基板配置部１２の遮断層、または最終層である。
【００１８】
本発明の第１変更実施形態に従い、耐油性の電気的絶縁材料製の、遮断する最終層２０または２１は各々、ポリイミド箔製の積層層として構成されている。ポリイミド箔製の遮断する最終層２０または２１が構成される場合、最終層２０、２１は、外側の伝導経路層１７ａ、１７ｄに対して、部分的表面のみに、つまりこれらの伝導経路層１７ａ、１７ｄの導体が実際に走る場所のみに設けられる。
【００１９】
第２変更実施形態に従い、遮断する最終層２０、２１は各々、プリプレグ製の積層層として構成されている。プリプレグ製のこの種の積層層は、ポリイミド箔製の積層層よりも費用対効果に優れているため、プリプレグ製の積層層は、電気的インターフェイス１９を除いて、覆われるべき外側の伝導経路層１７ａ、１７ｄの領域で全面に施される。
【００２０】
電子変速機制御装置１０のハウジング１１が、複数層のアルミニウムダイキャストハウジングから構成され、そのシェルが圧縮されている場合、ポリイミド箔製またはプリプレグ製の遮断する最終層２０、２１が使用される。
【００２１】
電子変速機制御装置１０のハウジング１１が、プラスチックから製造されており、およびプラスチック射出成型ハウジングとして構成されている場合には、遮断する最終層２０、２１も同様にプラスチックから製造されることが好適である。プラスチック製の最終層２０、２１は、外側の伝導経路層１７ａ、１７ｄに対して、通常部分的表面のみに、つまりこれらの伝導経路層１７ａ、１７ｄの導体が実際に走る場所のみに設けられる。
【００２２】
本発明による電子変速機制御装置１０の製造方法は、以下のステップを含む。まず両側に、内側の導電性の伝導経路層１７ｂおよび１７ｃを積層した、誘電性の絶縁材料製のコア層１８ａを準備するステップ。この内側の伝導経路層１７ｂ、１７ｃを、伝導経路層１７ｂ、１７ｃ上に所望の伝導経路構造を構成するために、エッチングするステップ。
【００２３】
コア層１８ａの、エッチングした伝導経路層１７ｂ、１７ｃに対して、誘電性の電気的絶縁材料製の更なる層１８ｂまたは１８ｃを各々施し、これら誘電性の電気的に絶縁する更なる層１８ｂ、１８ｃに対して、導電性の更なる伝導経路層１７ａまたは１７ｄを施し、これら外側の伝導経路層１７ａおよび１７ｄの領域において所望の伝導経路構造を構成するために、これら更なる伝導経路層１７ａまたは１７ｄを、続いてエッチングするステップ。
【００２４】
このステップは複数回繰り返し可能ではあるが、好適には一回に限り実行する。つまり、コア層１８ａに受容された伝導経路層１７ｂ、１７ｃに対して、コア層１８ａの両側に、エッチング処理した伝導経路層１７ａ、１７ｄを備える、更なる誘電層１８ｂおよび１８ｃのみを施すのである。
【００２５】
外側の伝導経路層１７ａ、１７ｄをエッチングするのに続いて、伝導経路層１７ａ、１７ｄに対して、耐油性の電気的絶縁材料製の、遮断する最終層２０または２１を各々、つまり回路基板配置部１２においてハウジング１１の外側のオイルに対して密封されていない領域で延在するセクション１６において施すステップ。
【００２６】
上述のように、これら最終層２０、２１はポリイミド箔製またはプリプレグ製の積層層として、または代替的には、プラスチック射出成型層として構成可能である。
【００２７】
図１は、ハンダレジスト製の層２２を、ハウジング１１の内側のオイルに対して密封されている領域において、回路基板配置部１２の対応するセクション１５に施すことが可能なことを示す。この種のハンダレジストは、変速機オイルに対して耐性がないため、変速機オイルの攻撃にさらされる、回路基板配置部１２のセクション１６における使用には適さない。
【００２８】
回路基板配置部１２のセクション１６において、最終遮断最外層２０、２１が施されていないインターフェイス１９は各々、好適にはニッケルおよび金を含む被覆を備え、インターフェイス１９を油に起因する腐食から保護する。
【００２９】
本発明による電子変速機制御装置１０の回路基板配置部１２は、単純かつコンパクトな構造を備え、および既知の変速機制御装置の回路基板配置部よりも僅かな労力で製造される。２つの導電性の層が省略されるため、積層し、およびエッチングにより部分的に除去しなければならない導電性の層の数が２だけ低減される。従って、本発明による電子変速機制御装置１０の回路基板配置部１２は、その厚みおよび複雑性を低減することが可能である。
【符号の説明】
【００３０】
１０  変速機制御装置
１１  ハウジング
１２  回路基板配置部
１３  アセンブリ
１４  アセンブリ
１５  セクション
１６  セクション
１７ａ  伝導経路層
１７ｂ  伝導経路層
１７ｃ  伝導経路層
１７ｄ  伝導経路層
１８ａ  誘電層
１８ｂ  誘電層
１８ｃ  誘電層
１９  インターフェイス
２０  層
２１  層
２２  層
【図１】
0006618986.tif 000002